(57)【要約】【課題】各種電子機器の操作部等に用いられる略円環状の回転型電子部品に関し、他の部品が円環内の位置に配置できる上、吸着による自動実装も可能なものを提供する。【解決手段】円環状のケース１１の内側円筒部１１Ｂ内に、連結部１２Ａを介して中央部１２Ｂに繋がる平坦面部１２を一体に配したものとし、その中央部１２Ｂの上面を吸着できるようにすると共に、連結部１２Ａどうしで構成される孔部１２Ｃを介して中空部１１Ａ内に配置された他の部品の操作などを可能なものとする。【選択図】図１
2006222002.tif 000002
【特許請求の範囲】
【請求項１】
中空部を備えた略円環状の回転型電子部品であって、その中空部部分に自動実装時に用いられる被吸着部が設けられた回転型電子部品。
【請求項２】
第一筒部を有する絶縁樹脂製の第一筐体と、その第一筒部の外側に同心に位置する第二筒部を有する絶縁樹脂製の第二筐体とが、互いの筒部どうしを相対的に回転可能に係合されて構成されると共に、その第一筒部内の空間で構成された中空部に、上記第一筐体と一体形成された平坦面部が設けられ、上記平坦面部が被吸着部としてなる請求項１記載の回転型電子部品。
【請求項３】
中空部内に配される他の部品の配置位置に応じて、平坦面部の所定位置に孔部が設けられた請求項２記載の回転型電子部品。
【請求項４】
第一筒部を有する絶縁樹脂製の第一筐体と、その第一筒部の外側に同心に位置する第二筒部を有する絶縁樹脂製の第二筐体とが、互いの筒部どうしを相対的に回転可能に係合されると共に、その第一筒部内の空間で中空部が構成され、被吸着部が、上記第一筒部または上記第二筒部に結合された取り外し可能な蓋部で構成された請求項１記載の回転型電子部品。
【発明の詳細な説明】
【技術分野】
【０００１】
本発明は、各種電子機器の操作部等に用いられる回転型電子部品に関するものである。
【背景技術】
【０００２】
近年、外形が円環状に構成された回転型電子部品を機器の配線基板に実装すると共に、その電子部品の中空部内にあたる配線基板上の位置に他の電子部品（ＬＥＤやスイッチなど）を実装して操作部の集中化を図ることが多くなっている。
【０００３】
そのような回転型電子部品につき回転型エンコーダを事例として、以下に図面を用いて説明する。
【０００４】
図７は従来の回転型エンコーダの断面図、図８は同外観斜視図である。
【０００５】
同図において、１は、外形が略円環状に構成された絶縁樹脂製のケースであり、その円環内に構成される中空部１Ａ周囲を囲む内側円筒部１Ｂは、上方へ突出形成されている。
【０００６】
そして、上記ケース１の円環状部分は上方開口の凹部形状になされ、その底部には、金属薄板からなる所定の接点パターンに形成された固定接点板２がインサート成形で固定されている。固定接点板２からの端子５は、ケース１の外方にそれぞれ導出されている。
【０００７】
そして、６は、外側円筒部６Ａの下端にフランジ部６Ｂを有する略円環状に形成された絶縁樹脂製の操作体であり、この操作体６は、上記ケース１に対し相対的に回転可能なように、外側円筒部６Ａ内に上記ケース１の内側円筒部１Ｂを同心で挿通させて組み合わされ、その状態で、フランジ部６Ｂはケース１の円環状の凹部内に収容されている。また、上記操作体６のフランジ部６Ｂ下面には、上記固定接点板２上を摺接する刷子７が固着されている。
【０００８】
そして、８は、ケース１の形状に合わせて略円環状に形成された金属板製のカバーであり、上記ケース１の凹部における上方開口部分を平板部８Ａで覆うようにケース１上から載せられて、カシメ脚部８Ｂをケース１の下面側に抱きカシメすることによりケース１に結合されている。ケース１の凹部内に収容された操作体６のフランジ部６Ｂは、平板部８Ａで上方への位置規制が図られている。
【０００９】
以上のように構成された従来の回転型エンコーダは、操作体６の外側円筒部６Ａを回転操作すると、操作体６がケース１の内側円筒部１Ｂに対して相対的に回転移動し、その回転移動に伴ってフランジ部６Ｂ下面の刷子７が固定接点板２上を弾接摺動していき、端子５を介して操作位置に応じた出力が得られるものであった。
【００１０】
そして、その搭載状態としては、使用する電子機器の配線基板上に上記回転型エンコーダを実装すると共に、その中空部１Ａ内の配線基板上の位置にＬＥＤなどの他の部品を実装して使用されることが多いものであった。
【００１１】
なお、この出願の発明に関連する先行技術文献情報としては、例えば、特許文献１が知られている。
【特許文献１】特開平１１−１７６２８７号公報
【発明の開示】
【発明が解決しようとする課題】
【００１２】
上記従来の回転型エンコーダ（回転型電子部品）は、中空部１Ａを略中央位置に有する異形状であったため、実装の自動化、特に吸着して自動実装することが難しかった。
【００１３】
本発明は、このような従来の課題を解決するものであり、他の部品が円環内の位置に配置できる上、吸着による自動実装も可能な回転型電子部品を提供することを目的とする。
【課題を解決するための手段】
【００１４】
上記目的を達成するために本発明は、以下の構成を有するものである。
【００１５】
本発明の請求項１に記載の発明は、中空部を備えた略円環状の回転型電子部品であって、その中空部部分に自動実装時に用いられる被吸着部が設けられた回転型電子部品であり、中空部内の位置に他の部品の配置ができると共に、被吸着部を吸着して自動実装することもできる回転型電子部品を得ることができるという作用を有する。
【００１６】
請求項２に記載の発明は、請求項１記載の発明において、第一筒部を有する絶縁樹脂製の第一筐体と、その第一筒部の外側に同心に位置する第二筒部を有する絶縁樹脂製の第二筐体とが、互いの筒部どうしを相対的に回転可能に係合されて構成されると共に、その第一筒部内の空間で構成された中空部に、上記第一筐体と一体形成された平坦面部が設けられ、上記平坦面部が被吸着部としてなるものであり、吸着による自動実装可能なものを、部品点数や組み立て工数の増加などなく構成できるという作用を有する。
【００１７】
請求項３に記載の発明は、請求項２記載の発明において、中空部内に配される他の部品の配置位置に応じて、平坦面部の所定位置に孔部が設けられたものであり、孔部を介して中空部内の位置に配された他の部品の操作などが可能になると共に、孔部が肉盗みとしても作用して平坦面部などの不要なヒケや反りなどの発生も低減できるという作用を有する。
【００１８】
請求項４に記載の発明は、請求項１記載の発明において、第一筒部を有する絶縁樹脂製の第一筐体と、その第一筒部の外側に同心に位置する第二筒部を有する絶縁樹脂製の第二筐体とが、互いの筒部どうしを相対的に回転可能に係合されると共に、その第一筒部内の空間で中空部が構成され、被吸着部が、上記第一筒部または上記第二筒部に結合された取り外し可能な蓋部で構成されたものであり、筐体の形状などを大きく変えることなく簡単に構成できるという作用を有する。
【発明の効果】
【００１９】
以上のように本発明によれば、略円環状の内側に構成される中空部部分に自動実装時に用いられる被吸着部を設けたものとしたため、他の部品が円環内の位置に配置できる上、吸着による自動実装も可能な回転型電子部品が得られるという有利な効果が得られる。
【発明を実施するための最良の形態】
【００２０】
以下、本発明の実施の形態につき、従来と同様に回転型エンコーダを事例として説明する。なお、従来と同一構成の部分には、同一符号を付して詳細な説明は省略する。
【００２１】
（実施の形態）
図１は本発明の一実施の形態による回転型電子部品である回転型エンコーダの断面図、図２は同外観斜視図、図３は同上面図である。
【００２２】
同図において、１１は、絶縁樹脂製のケースであり、その形状としては、外周部が略円環状に構成され、その円環内にて構成される中空部１１Ａ周囲を囲む内側円筒部１１Ｂは上方へ突出形成されていると共に、その内側円筒部１１Ｂ内の上部位置には、平坦面部１２が一体で設けられている。なお、このケース１１が請求項における第一筐体に相当し、また、内側円筒部１１Ｂが同じく請求項における第一筒部に相当する。
【００２３】
そして、その平坦面部１２は、図２および図３からも判るように、内側円筒部１１Ｂの上端内周面から内側に突設された四つの連結部１２Ａと、その連結部１２Ａに繋がる中央部１２Ｂからなり、隣り合う連結部１２Ａどうしの間の領域は、それぞれ孔部１２Ｃとして形成されている。
【００２４】
この平坦面部１２における中央部１２Ｂ上面が、実装時における被吸着部としてなり、中空部１１Ａ内における配置高さや位置や配設面積などは、使用される吸着ヘッド３１（図１および図３内に二点鎖線で記載）や中空部１１Ａ内に配置される他の部品の配置位置などによって設定されている。
【００２５】
そして、上記ケース１１の略円環状の外周部は、上方開口の凹部に構成され、その凹部の底部には、所定の接点パターンに形成された固定接点板２がインサート成形により固定されている。固定接点板２からの端子５は、ケース１１の外方にそれぞれ導出されている。
【００２６】
そして、その固定接点板２上を弾接摺動する刷子７がフランジ部６Ｂ下面に固着された操作体６（請求項における第二筐体に相当）は、従来同様に外側円筒部６Ａ（請求項における第二筒部に相当）内に上記ケース１１の内側円筒部１１Ｂを同心で挿通させて相対的に回転可能なように組み合わされている。上記フランジ部６Ｂは、上記ケース１１の凹部内に収容され、凹部の上方開口部分は、カシメ脚部８Ｂがケース１１の下面側でカシメられることによりケース１１に結合されたカバー８の平板部８Ａで覆われている。
【００２７】
以上のように本発明による回転型エンコーダ（回転型電子部品）は構成されている。
【００２８】
そして、その動作は、操作体６の外側円筒部６Ａを回転操作すると、操作体６がケース１１の内側円筒部１１Ｂに対し相対的に回転移動し、その回転移動に伴ってフランジ部６Ｂ下面の刷子７が固定接点板２上を弾接摺動していき、端子５を介して操作位置に応じた出力が得られるものである。
【００２９】
そして、当該回転型エンコーダは、上述したように、吸着ヘッド３１によって平坦面部１２における中央部１２Ｂ上面を吸着して使用機器の配線基板上に自動実装することができるため、機器の組み立て工数の低減化が図れる。なお、平坦面部１２における中央部１２Ｂが中空部１１Ａ内の位置に配置されているため、その吸着状態としても安定的で、これも機器側の管理の簡素化などに寄与するものである。
【００３０】
次に、当該回転型エンコーダ（回転型電子部品）をエアコンの温度調整部に用いた事例について図面を用いて説明する。
【００３１】
図４に示すように、当該構成のものは、上記に説明した回転型エンコーダを、機器の配線基板４１に実装すると共に、専用の操作つまみ６１が結合されて構成されている。この操作つまみ６１としては、図５の上面図に示すように、上面中央部分における上方領域が略半円の温度視認部６２として構成されていると共に、下方領域に押しボタン部６３を備え、さらに上記温度視認部６２および押しボタン部６３により構成された円形領域部分の外周部には、上記両者とは独立して回転操作可能なリング可動部６４を有している。そして、上記リング可動部６４が、図４に示すように、当該回転型エンコーダにおける操作体６の外側円筒部６Ａに共廻り可能なように結合されている。
【００３２】
そして、上記温度視認部６２には、温度バー表示６２Ａなどがなされている。その温度バー表示６２Ａへの操作位置を視認するための指標部６４Ａはリング可動部６４に配されている。
【００３３】
一方、上記押しボタン部６３は、透光樹脂により構成された透光窓部６３Ａを備えると共に、その下面から下方に向けて延設された押圧部６３Ｂを有する。そして、透光窓部６３Ａと押圧部６３Ｂは、平坦面部１２に設けられた孔部１２Ｃを介して中空部１１Ａ内にあたる配線基板４１上の位置に配されたＬＥＤ７１とプッシュスイッチ７２にそれぞれ上下で対向状態になるようにして配されている。なお、図４においては、プッシュスイッチ７２の端子の図示を省略している。
【００３４】
上記構成であれば、平坦面部１２に設けた孔部１２Ｃを介して、当該中空部１１Ａ内の位置に配されたＬＥＤ７１で透光窓部６３Ａを照光したり、また押しボタン部６３への押し下げ操作によって下方に移動していく押圧部６３Ｂで当該中空部１１Ａ内の位置に配されたプッシュスイッチ７２への操作が可能となる。
【００３５】
なお、上記孔部１２Ｃは、上記のように利用できる上、当該回転型エンコーダにおけるケース１１の形成時などにおいては、肉盗みとしても作用するので平坦面部１２などの不要なヒケや反りの発生も低減でき、ケース１１としても高精度で高品質なものが得られるようになる。また、上記に説明した回転型エンコーダの構成であれば、従来のものと同じ部品点数で済み、かつその組み立て工数などの増加もなく好ましい。
【００３６】
そして、本発明は、上記構成のもののみに限られることはなく、例えば、図６に示すように、従来のものに対し、取り外し可能な蓋部８１を装着し、吸着による配線基板への実装後にその蓋部８１を取り外すものも含まれる。このものは、従来のものに対し形状などを殆ど変える必要もなく、簡単に構成することができる。なお、蓋部８１を内側円筒部１１Ｂや外側円筒部６Ａに係止させる構成であれば、製品外形が不要に大きくなることもなく好ましい。
【００３７】
なお、上記に説明した回転型エンコーダに限らず、回転型可変抵抗器や回転型スイッチなどの中空部を備えた回転型電子部品全般に対し、その中空部部分に被吸着部を有するものは本発明の範疇に入る。
【産業上の利用可能性】
【００３８】
本発明による回転型電子部品は、円環状の内側部分にあたる中空部部分に自動実装時に用いられる被吸着部を有する構成としたため、他の部品が円環内の位置に配置できる上、吸着による自動実装も可能なものにできるという効果を有し、各種電子機器の操作部を構成する際等に有用である。
【図面の簡単な説明】
【００３９】
【図１】本発明の一実施の形態による回転型電子部品である回転型エンコーダの断面図
【図２】同外観斜視図
【図３】同上面図
【図４】同回転型エンコーダの使用事例を示す断面図
【図５】同回転型エンコーダに装着された操作つまみの上面図
【図６】同本発明によるものの変形事例を示す外観斜視図
【図７】従来の回転型エンコーダの断面図
【図８】同外観斜視図
【符号の説明】
【００４０】
２  固定接点板
５  端子
６  操作体
６Ａ  外側円筒部
６Ｂ  フランジ部
７  刷子
８  カバー
８Ａ  平板部
８Ｂ  カシメ脚部
１１  ケース
１１Ａ  中空部
１１Ｂ  内側円筒部
１２  平坦面部
１２Ａ  連結部
１２Ｂ  中央部
１２Ｃ  孔部
３１  吸着ヘッド
４１  配線基板
６１  操作つまみ
６２  温度視認部
６２Ａ  温度バー表示
６３  押しボタン部
６３Ａ  透光窓部
６３Ｂ  押圧部
６４  リング可動部
６４Ａ  指標部
７１  ＬＥＤ
７２  プッシュスイッチ
８１  蓋部
【図１】
2006222002.tif 000003
【図２】
2006222002.tif 000004
【図３】
2006222002.tif 000005
【図４】
2006222002.tif 000006
【図５】
2006222002.tif 000007
【図６】
2006222002.tif 000008
【図７】
2006222002.tif 000009
【図８】
2006222002.tif 000010